(57)【要約】
【課題】収容される骨壺が、安定に定位され、保護構造との衝突を防止することができ、且つ全体の通気性、防炎性及び防振性に優れている骨壺の保護構造を提供すること。
【解決手段】所定容積を有し骨壺を収容するための本体を有し、前記本体では密集して小径な貫通孔が開けてあり、本体の上端には、上面突起部を設けた上蓋が設けてあり、本体の下端には、下面突起部を設けた下蓋が設けてあり、且つ本体の接合部の内側では第一補強切れが設けてあり、本体の下端の内側では第二補強切れが設けてあることを特徴とする骨壺の保護構造。
【選択図】図２
0003101473.tif 000002
【実用新案登録請求の範囲】
【請求項１】
所定容積を有し骨壺を収容するための本体を有し、前記本体には密集して小径な貫通孔が開けてあり、本体の上端には、上面突起部を設けた上蓋が設けてあり、本体の下端には、下面突起部を設けた下蓋が設けてあり、且つ本体の接合部の内側では第一補強切れが設けてあり、本体の下端の内側では第二補強切れが設けてあり、
上記の構造により、全体の通気性、防炎性及び防振性が優れた構造になることを特徴とする、
骨壺の保護構造。
【請求項２】
前記保護構造は金属素材で作製され、金属素材は、主に１４００℃の高温にも耐えるステンレススチールを採用することを特徴とする、請求項１に記載の骨壺の保護構造。
【請求項３】
前記上蓋は、溶接で本体と接合し一体にしたことを特徴とする、請求項１に記載の骨壺の保護構造。
【請求項４】
前記本体の表面には、使用者の信奉した宗教によって適当な文字または絵柄を付けたことを特徴とする、請求項１に記載の骨壺の保護構造。
【請求項５】
前記下蓋と本体の下端の結合方式は、螺着素子によって結合したことを特徴とする、請求項１に記載の骨壺の保護構造。
【請求項６】
前記本体の厚さは、０．３ｍｍ〜１．２ｍｍであることを特徴とする、請求項１に記載の骨壺の保護構造。
【請求項７】
前記本体は、厚さ０．３ｍｍ〜１．２ｍｍの板を、所望の造形に曲げて成形されたものであることを特徴とする、請求項１に記載の骨壺の保護構造。
【請求項８】
前記本体に開けた小径の貫通孔の直径は、０．５ｍｍ〜２．０ｍｍであることを特徴とする、請求項１に記載の骨壺の保護構造。
【請求項９】
収容される骨壺を安定に定位するために、前記本体の下端に設けられる第二補強切れにはゴム切れが設けてあることを特徴とする、請求項１に記載の骨壺の保護構造。
【請求項１０】
収容される骨壺を安定に定位し保護構造との衝突を防止するために、前記下蓋と本体の下端との結合箇所にゴムクッションが設置してあることを特徴とする、請求項１に記載の骨壺の保護構造。
【考案の詳細な説明】
【技術分野】
【０００１】
この考案は骨壺の保護構造に係り、特に骨壺の安全を確保するために、保護構造は、耐高温金属で作製される本体を有し、前記本体では、貫通孔が密集してあり、文字や絵柄が付けてあり、且つ本体の上端には、上面突起部を設けた上蓋が設けてあり、本体の下端には、下面突起部を設けた下蓋が設けてあり、なお、本体の接合部の内側では第一補強切れが設けてあり、本体の下端の内側では第二補強切れが設けてあることを特徴とする骨壺の保護構造に関する。
【背景技術】
【０００２】
図５に示すのは従来の骨壺の外観斜視図である。大理石又はセラミックで作製され所定の容積、外観及び形状を有する骨壺１は、箱体１１と、蓋１２とを含み、箱体１１は、亡くなった者を燃焼した後に残った骨灰を収容するためのものであり、蓋１２は、箱体１１の開口を密封するためのものである。骨灰を収容した骨壺１が所定の場所に並べられ、親類に弔われる。
【考案の開示】
【考案が解決しようとする課題】
【０００３】
しかしながら、所定の場所に並べられる従来の骨壺１は、地震又は火災が起こる場合には、高温及び高圧に耐えないので、破裂しまうことがよくある。破裂した骨壺１内の骨灰は、他の骨壺１らから洩れた骨灰と混ざると、もう一度分けることが無理である。
【０００４】
この考案の主な目的は、地震又は火災が起こっても骨壺が破裂しなく、簡単な構造を有する骨壺の保護構造を提供する。
【課題を解決するための手段】
【０００５】
上記欠点を解決するためになされた本願の考案は、所定容積を有し骨壺を収容するための本体を有し、前記本体では密集で小径な貫通孔が開けてあり、本体の上端には、上面突起部を設けた上蓋が設けてあり、本体の下端には、下面突起部を設けた下蓋が設けてあり、且つ本体の接合部の内側では第一補強切れが設けてあり、本体の下端の内側では第二補強切れが設けてあり、上記の構造により、全体の空気流通性、防炎性及び防振性に優れたことを特徴とする骨壺の保護構造であることを要旨としている。
【０００６】
また、本願の考案では、前記保護構造は金属素材で作製され、金属素材は、主に１４００℃の高温にも耐えるステンレススチールを採用することを特徴とする請求項１に記載の骨壺の保護構造であることを要旨としている。
【０００７】
また、本願の考案では、前記上蓋は、溶接で本体と接合し一体になってもいいことを特徴とする請求項１に記載の骨壺の保護構造であることを要旨としている。
【０００８】
また、本願の考案では、前記本体の表面には、使用者の信奉した宗教によって適当な文字や絵柄を付けてもいいことを特徴とする請求項１に記載の骨壺の保護構造であることを要旨としている。
【０００９】
また、本願の考案では、前記下蓋と本体の下端の結合方式は、螺着素子によって結合してもいいことを特徴とする請求項１に記載の骨壺の保護構造であることを要旨としている。
【００１０】
また、本願の考案では、前記本体の厚さは、０．３ｍｍ〜１．２ｍｍ程度であることを特徴とする請求項１に記載の骨壺の保護構造であることを要旨としている。
【００１１】
また、本願の考案では、前記本体は、厚さ０．３ｍｍ〜１．２ｍｍ程度の板を、所望の造形に曲げて成形されたものであってもいいことを特徴とする請求項１に記載の骨壺の保護構造であることを要旨としている。
【００１２】
また、本願の考案では、前記本体で開けた小径な貫通孔の直径は、０．５ｍｍ〜２．０ｍｍ程度であることを特徴とする請求項１に記載の骨壺の保護構造であることを要旨としている。
【００１３】
また、本願の考案では、収容される骨壺を安定に定位するために、前記本体の下端に設けられる第二補強切れにはゴム切れが設けてあることを特徴とする請求項１に記載の骨壺の保護構造であることを要旨としている。
【００１４】
また、本願の考案では、収容される骨壺を安定に定位し保護構造との衝突を防止するために、前記下蓋と本体の下端との結合箇所ではゴムクッションが設置してあることを特徴とする請求項１に記載の骨壺の保護構造であることを要旨としている。
【考案の効果】
【００１５】
この考案は次のような効果がある。
（１）収容される骨壺が、安定に定位され、且つ保護構造との衝突を防止することができる。
【００１６】
（２）全体の通気性、防炎性及び防振性に優れる。
【考案を実施するための最良の形態】
【００１７】
以下、添付図面を参照して本考案の好適な実施の形態を詳細に説明する。
まず、図１と図２を参照する。この考案に係る骨壺の保護構造２は、耐高温金属素材（例えば、１４００℃の高温に耐えるステンレススチール）で作製されるものであり、本体２１と、上蓋２２と、下蓋２３とを含む。
【００１８】
前記本体２１は、骨壺１を収容し、所定の容積及び形状を有し、厚さ０．３ｍｍ〜１．２ｍｍ程度のステンレススチール・シートを所望な形状に曲げて形成されるものである。且つ曲げたステンレススチール・シートの両端を接合する箇所の内側では第一補強切れ２１１が設けてあり、本体２１の下端の内側では第二補強切れ２１２が設けてあり、なお、地震などの原因で揺れた骨壺１が本体２１と衝突して損壊されること防止するために、前記第二補強切れ２１２の上には、ゴム切れ２１３を設けてもいい。
【００１９】
また、前記本体２１の表面には、小径な貫通孔２１４が密集してあり、前記貫通孔２１４の直径は約０．５ｍｍ〜２．０ｍｍ程度であり、そうすると、本体２１は網状物になるため、骨壺１が何れかの原因で破裂しても、骨壺１内に保存する骨灰は本体２１の外部に洩れないとともに、通気性が良いので、内部はじめじめしない。また、本体２１内にある骨壺１を透視できるため、盗難や不法な置換は即時に判定できる。
【００２０】
また、前記本体２１の表面には、使用者の信奉した宗教によって適当な文字や絵柄を付けることができるため、使用者の宗教信仰を著しくすることができる。また、本体２１の下端には複数のネジ穴２１６が設けてある。
【００２１】
前記上蓋２２は、前記本体２１と同様な素材で作製され、本体２１の上端をカバーする。前記上蓋２２と本体２１とは溶接によって一体になる。また、金属製の上蓋２２の構造を強化するために、前記上蓋２２には上面突起部２２１が設けてある。
【００２２】
前記下蓋２３は、前記本体２１と同様な素材で作製され、本体２１の下端をカバーし、且つ前記本体２１の下端に開けた複数のネジ穴２１６に応じる箇所には複数の貫通孔２３１が開けてある。前記下蓋２３は、前記貫通孔２３１を貫通してネジ穴２１６と螺合する螺着素子２３２によって本体２１に固定される。また、金属製の下蓋２３の構造を強化し且つ滑り止め機能を持たせるために、前記下蓋２３には下面突起部２３３が設けてある。
【００２３】
次に、図３を参照する。この考案に係る保護構造２と骨壺１の組立て方法は、まず、骨壺１を下蓋２３の上に設置して、本体２１と上蓋２２とが一体化に結合されたものを、上方から骨壺１をカバーし、且つ本体２１に開けたネジ穴２１６を、下蓋に開けた貫通孔２３１に合わせた後、螺着素子２３２によってそれらを螺着し一体化する。
【００２４】
これにより、本体２１と、上蓋２２と、下蓋２３と、から構成される骨壺の保護構造は、全体の通気性、防炎性及び防振性に優れ、骨壺を保護する機能を達成することができる。
【００２５】
また、金属製の本体２１の表面には、密集して小径な貫通孔２１４が開けてあるので、前記本体２１は網状物になる。前記本体２１によれば、骨壺１が地震又は火災の原因で破裂しても、その内部に保存した骨灰は、本体２１内に止められるので、保護構造の外部へ洩れることができない。
【００２６】
また、図４に示すように、この考案に係る骨壺の保護構造は、下蓋２３と本体１１の下端との結合箇所ではゴムクッション２４が設置してあり、これにより、骨壺１を安定に定位することができ、且つ箱体１１と保護構造２との衝突を防止することもできる。
【図面の簡単な説明】
【００２７】
【図１】この考案に係る骨壺の保護構造を示す外観斜視図である。
【図２】この考案に係る骨壺の保護構造を示す分解斜視図である。
【図３】この考案に係る骨壺の保護構造の組立てた状態を示す断面図である。
【図４】この考案に係る骨壺の保護構造の一実施例を示す断面図である。
【図５】従来の骨壺の外観斜視図である。
【符号の説明】
【００２８】
（本考案の部分）
２          保護構造                ２１        本体
２１１      第一補強切れ            ２１２      第二補強切れ
２１３      ゴム切れ                ２１４      貫通孔
２１５      絵柄                    ２１６      ネジ穴
２２        上蓋                    ２２１      上面突起部
２３        下蓋                    ２３１      貫通孔
２３２      螺着素子                ２３３      下面突起部
２４        ゴムクッション
（従来のものの部分）
１          骨壺                    １１        箱体
１２        蓋
【図１】
0003101473.tif 000003
【図２】
0003101473.tif 000004
【図３】
0003101473.tif 000005
【図４】
0003101473.tif 000006
【図５】
0003101473.tif 000007